(57)【特許請求の範囲】
【請求項１】
軸筒の内部に芯の繰り出しを行う芯繰り出し機構と、その芯繰り出し機構の後方に芯を収納する芯タンクを有し、その芯タンクの後部に尾栓を着脱自在に配置したシャープペンシルにおいて、その尾栓の側面に窓孔を形成し、その窓孔の幅を芯径より大きくすると共に、窓孔の軸線方向長さを下記数１で求められるＥ値よりも小さくしたことを特徴とするシャープペンシルの尾栓。
【数１】
0004240794.tif 000003
【発明の詳細な説明】
【０００１】
【発明の属する技術分野】
本発明は、軸筒の内部に芯の繰り出しを行う芯繰り出し機構と、その芯繰り出し機構の後方に芯タンクを有するシャープペンシルに関する。
【０００２】
【従来の技術】
１例として特開平２０００−２１１２８６号公報を挙げ説明する。一般的には、ダブルチャック式シャープペンシルと称されるシャープペンシルである。このシャープペンシルは、軸筒の前部に先部材が螺着、接着等により設けられ、その先部材の先端には軸線方向後方に付勢された先端チャックが配置されている。軸筒の内部には摺動可能で芯を多数保管しておくことが可能な芯タンクを有する。この芯タンクの前端部には芯の繰り出しを行う後部チャックが固設され、これら芯タンクや後部チャックは、スリーブと芯タンクの間に張設されたコイルスプリングなどの弾撥部材によって後方に付勢されている。
【０００３】
【発明が解決しようとする課題】
このようなシャープペンシルを机などから誤って落下させたときに芯タンク内の芯が短く折れたりすることがある。この短く折れた芯をノック動作によって芯タンク内から後部チャック前方に繰り出してしまうと先部材内の後部チャック先端と芯戻り止め部材の後方の空間で脱落してしまい、次のノック動作の時、後部チャックの前進動作を阻害し作動不良を起こしてしまったりする。また、芯戻り止め部材後端の芯挿入口に芯がほんの少しだけとどき、ささったままの状態の場合、次の芯が繰り出されてくると芯戻り止め部材後端の芯挿入口で２本の芯が並んでしまうことがあり、このようになると先部材を分解しこれらの芯を取り除かなければならなくなる。しかし、ダブルチャック式シャープペンシルは先部材が分解できないので修理は不可能であった。
また、通常のノック式シャープペンシルにおいては、分解・修理は可能であるが同様の現象は起きる。
さらに、チャック体先端より芯保護管先端より短い芯は残芯と呼ばれ、残芯が芯タンク内から繰り出され芯保護管の先端から出てきてもチャック体に噛んでいないため筆記中に芯が回ってしまったり、書きにくい為引き抜きもう一度芯出し作業を行うなど、大変煩わしいものであった。
【０００４】
【課題を解決するための手段】
本発明は、軸筒の内部に芯の繰り出しを行う芯繰り出し機構と、その芯繰り出し機構の後方に芯を収納する芯タンクを有し、その芯タンクの後部に尾栓を着脱自在に配置したシャープペンシルにおいて、その尾栓の側面に窓孔を形成し、その窓孔の幅を芯径より大きくすると共に、窓孔の軸線方向長さを下記数１で求められるＥ値よりも小さくしたことを要旨とする。
【０００５】
【作用】
このことにより残芯より短い芯は排除し先部材内に短い芯がつまったり、次の芯がなかなか出てこないなどの作動不良及び不快感を防止できる。さらに、本体から窓孔の開いた芯タンクの一部を取り外した場合、芯径より太い幅を有する孔を持つので、空気の流通経路を確保しやすく、安全性が高いシャープペンシルである。
【０００６】
【実施例】
第１例を図１乃至図１０に示し説明する。シャープペンシルの１例としてキャップ式シャープペンシルを挙げ説明する。軸筒１の先端側には、中子３が螺合や圧入や接着などの手段によって配置されている。その中子３の中間部分には、凹部４とその凹部４を形成することによって形成される突部５が円周上に形成されている。この軸筒１と中子３は、樹脂などにより一体に成形しても良い。
前記軸筒１の内部には、複数本の芯体を収納する芯タンク２が前後動可能に配置されている。その芯タンク２の前方には、芯の把持・解放を行うチャック体６が固定されている。また、そのチャック体６の前方にはチャック体６の閉鎖・解放を行うチャックリング７が囲繞している。そして、それら芯タンク２やチャック体６は、中子３と芯タンク２の間に張設されたコイルスプリングなどの弾撥部材８によって後方に付勢されている。
参照符号９は、繰り出された芯の後退を阻止するゴム状弾性体からなる芯戻り止め部材であり、また、参照記号１０は、先部材１１に固定された芯保護管であるが、それら戻り止め部材９や芯保護管１０は、前記先部材１１に一体成型などしても良い。尚、前記先部材１１は中子３と螺着されている。
キャップ１８は、外面の後方側の一部分に突起部２５を有し、転がり止めの役割を果たしている。そのキャップ１８の内面には、リブ１９が形成されており、そのリブ１９を形成することによって形成された凹部２０が形成されている。前記キャップリブ１９は、前記中子３に円周上に形成された凹部４と係合し、そして前記キャップ凹部２０には、前記中子３の突部５が係合している。つまり、前記中子３に形成された突部５は、キャップ１８の内面に形成されたリブ１９と凹部２０とによって挟み込まれ、脱着自在に係合している。
【０００７】
また、前記キャップ１８内には、そのキャップ１８内に張り出した複数の突部２１の内径より大きい径を持つ球状の弾性部材２３が圧入固定されている。この複数のリブ１９は成形性を考慮し、後方に向かって径が大きくなるようテーパーの斜面が形成されている。このリブ１９の一部分には球体が圧入されている部分より僅かに後方部分に凸部２４を、球状の弾性部材２３の脱落防止のために設けてある。球体の弾性部材２３はキャップ１８は先端側にキャップをした際、芯保護管１０と弾性部材２３とは隙間の空いた状態で圧入されている。この球状の弾性部材２３は内蔵された芯の色と同色にしたり、芯径により色を変えたり、シャープペンシルの識別などの役割のため着色されている。尚、弾性部材２３は着色された硬い樹脂製の物でも良いが、芯が出ている状態でキャップをして当たってしまった場合、硬い材質の場合は芯が折れてしまうので、弾性を持つ材質の方が好ましい。
【０００８】
一方、前記芯タンク２の後部には芯タンクの一部分である尾栓１２が螺合や係合などの手段によって着脱自在に配置されている。尾栓１２の側面には、複数の窓孔１５が配置されており、この窓孔１５の幅は芯径より大きい。本例においては、芯径は０．５５ｍｍ、窓孔の幅は０．７ｍｍである。この窓孔１５の軸線方向の長さはＥは、数２を満たす値より小さくされている。
【０００９】
【数２】
0004240794.tif 000002
【００１０】
窓孔１５が計算値と同じ値であるときＣの長さの芯がちょうど落ちるときである。本記載例は図３が示すとおりＧ＝０であるため  Ｅ＝ＡＣ／Ｆである。本例では、残芯長さＣ＝１１．５４ｍｍ、窓孔部内径Ｆ＝２．１ｍｍで、芯径Ａ＝０．５５ｍｍであるので、Ｅは３．０２ｍｍとなる。図１０のように、窓孔の長さがこのＥより長い時、残芯以上の芯であっても芯が排出されてしまう。本例において、窓孔長さは２．６６ｍｍで計算値Ｅの３．０２ｍｍより短いので、図９のように残芯以下の長さの芯でなければ排出されない。この窓孔の位置は、芯タンクの中間部分や前側でも良いが、芯を排除する構造や、芯を排除するしやすさを考慮すると、後端側が望ましい。
【００１１】
第２例を図１１に示す。本例においては、窓孔後端側の肉厚Ｇは０．８９ｍｍであり、上記数２に当てはめると（残芯長さＣ＝１１．５４ｍｍ、窓孔部内径Ｆ＝２．１ｍｍ、芯径Ａ＝０．５５ｍｍ）、Ｅは５．４４ｍｍとなり、本例では、窓孔長さ２．６６ｍｍであれば残芯以下の芯だけが排除できる。（図１２は窓孔長さが５．４４ｍｍより短い場合、図１３は窓孔長さが５．４４ｍｍより長い場合である。）この本例では、残芯以下の芯を排除するべく窓孔長さの設定を行ったが、芯づまりを起こす芯を排除したい場合は、上記式のＣをＤの長さに置き換えて計算することにより窓孔の長さが求められる。図３の例において、芯づまり長さＤは３．６４ｍｍである場合、Ｅの値を求めると、Ｅ＝０．９５ｍｍで、窓孔長さは０．９５ｍｍ未満となる。同様に図１１の場合はＥ＝１．２８ｍｍで、窓孔長さは１．２８ｍｍ未満となる。
前記尾栓１２は芯タンク２と螺合によって取り付けられているが、着脱可能な手段であれば、係合でも良い。その尾栓１２は、鍔部１３を有し、尾栓１２を芯タンク２に螺合した場合、鍔部１３の前側の側面１７と芯タンク２の後端側面が重なり止まる。この時、芯タンク２と尾栓１２のがたつき防止として延長部分１４がある。後端側にキャップをする場合、尾栓鍔部後端側の側面１６とキャップの突部２１端面とが重なり合ったとき止まるが、このとき尾栓鍔部１３はキャップリブ（小）２２を乗り越え係合する。この乗り越え係合する力は、前側に係合する力や芯出しを行う際のノック力よりもかなり弱く設定されており、言うなれば、係合した状態で逆向きにしても脱落せず、また、がたつきの起きない程度の弱い力となっている。
【００１２】
第３例を図１４に示し説明する。ダブルチャック式シャープペンシルに本発明を適用した例である。軸筒２６の前部には、先部材２７が螺着、接着等により設けられ、その先部材２７の先端には軸線方向後方に付勢された先端チャック２８が配置されている。軸筒２６の内部には、摺動可能で芯を多数保管しておくことが可能な芯タンク２９を有している。この芯タンク２９の前端部には、芯の繰り出しを行う後部チャック３０が固設され、これら芯タンク２９や後部チャック３０は、スリーブ３１と芯タンク２９の間に張設されたコイルスプリングなどの弾撥部材３２によって後方に付勢されている。
また、前記芯タンク２９の後端には、尾栓３３が着脱可能に被着されている。この尾栓３３の側面に窓孔３４を開け、その窓孔３４の幅は芯径より大きく、軸線方向の長さＥは、上記数２を満たす値より小さく設定した。
第４例を図１５に示し説明する。サイドノック式シャープペンシルに本発明を適用した例である。軸筒３５側壁には、芯の繰り出し操作を行うノック３６が配置されており、また、軸筒３５内には、芯を収納する芯タンク部３７を有している。また、軸筒３５の後端には、着脱自在にキャップ３８が配置されており、そのキャップ３８の側面には、窓孔３９が形成されている。そして、その窓孔３９の幅は芯径より大きく、軸線方向の長さＥは、上記数２を満たす値より小さく形成されている。
【００１３】
第５例を図１６、図１７に示し説明する。本例は、窓孔４０の長さと幅の関係がＢ＞Ｅである場合の変形例である。
第６例を図１８に示し説明する。本例は、窓孔４１を芯タンク４２の中間部分の側面に開けた場合の変形例である。この時の窓孔４１の幅は芯径より大きく、軸線方向の長さＥは、上記数２の式を満たす値より小さく形成されているる。
【００１４】
【発明の効果】
本発明は、軸筒の内部に芯の繰り出しを行う芯繰り出し機構と、その芯繰り出し機構の後方に芯を収納する芯タンクを有し、その芯タンクの後部に尾栓を着脱自在に配置したシャープペンシルにおいて、その尾栓の側面に窓孔を形成し、その窓孔の幅を芯径より大きくすると共に、窓孔の軸線方向長さを下記数１で求められるＥ値よりも小さくしたので、残芯よりも短い芯を排除することができ、また、芯径よりも大きく、長さも十分な窓孔を設けているので、誤飲したときの安全性を向上させることができる。
【図面の簡単な説明】
【図１】本発明の第１例を示すシャープペンシル全体の縦断面図。
【図２】図１の尾栓の上面図。
【図３】図１の尾栓の正面断面図。
【図４】図１の尾栓の正面外観図。
【図５】図３の尾栓を４５°回転したときの断面図。
【図６】図４の尾栓を４５°回転したときの外観図。
【図７】残芯の長さ及び芯づまりを起こすおそれのある芯の長さを示す断面図。
【図８】図１の残芯が排出される瞬間を示す断面図。
【図９】本例における残芯以上の芯が排出されない時を示す断面図
【図１０】本例における残芯未満の芯が排出される時を示す断面図
【図１１】窓孔の寸法を示す縦断面図。
【図１２】第２例における残芯以上の芯が排出されない状態を示す縦断面図。
【図１３】第２例における残芯未満の芯が排出される状態を示す縦断面図。
【図１４】第３例を示す縦断面図。
【図１５】第４例を示す縦断面図。
【図１６】第５例を示す縦断面図。
【図１７】第５例を示す正面外観図。
【図１８】第６例を示す縦断面図。
【符号の説明】
１      軸筒
２      芯タンク
３      中子
４      中子凹部
５      中子突部
６      チャック体
７      チャックリング
８      弾撥部材
９      芯戻り止め部材
１０    芯保護管
１１    先部材
１２    尾栓
１３    尾栓鍔部
１４    尾栓ネジ下延長部
１５    尾栓窓孔
１６    尾栓鍔部後端側の側面
１７    尾栓鍔部前側の側面
１８    キャップ
１９    キャップリブ
２０    キャップ凹部
２１    キャップ突部
２２    キャップリブ（小）
２３    玉
２４    キャップ凸部
２５    キャップ突起部
Ａ      芯径
Ｂ      窓孔幅
Ｃ      残芯長さ
Ｄ      芯づまり長さ
Ｅ      窓穴長さ
Ｆ      窓孔部内径
Ｇ      窓孔後端側肉厚
【図１】
0004240794.tif 000004
【図２】
0004240794.tif 000005
【図３】
0004240794.tif 000006
【図４】
0004240794.tif 000007
【図５】
0004240794.tif 000008
【図６】
0004240794.tif 000009
【図７】
0004240794.tif 000010
【図８】
0004240794.tif 000011
【図９】
0004240794.tif 000012
【図１０】
0004240794.tif 000013
【図１１】
0004240794.tif 000014
【図１２】
0004240794.tif 000015
【図１３】
0004240794.tif 000016
【図１４】
0004240794.tif 000017
【図１５】
0004240794.tif 000018
【図１６】
0004240794.tif 000019
【図１７】
0004240794.tif 000020
【図１８】
0004240794.tif 000021